(57)【要約】      （修正有）【課題】ファッション性の高い軽量で小型の携帯用パソコンケースを提供する。【解決手段】透明なアクリル樹脂板で形成した一対の外面板１１、１２の下部中央を可撓性を有する連結帯片１５で連結し、上部中央にそれぞれ面ファスナ１６ａ、１６ｂを取付けて前記外面板１１、１２を開閉可能に形成し、前記外面板１１、１２の内面側の上下部にそれぞれ取付けた複数の係止鋲２０ａ〜２０ｊにノートパソコンを保持するための弾性部材３０または弾性中空材を交互に互い違いに配設してある。【選択図】図１
0003153639.tif 000002
【実用新案登録請求の範囲】
【請求項１】
強度を有した透明な一対の外面板（１１）、（１２）の下部中央を可撓性を有する連結帯片（１５）で連結し、上端中央にそれぞれ面ファスナ（１６、１６）を取付けて開閉可能に形成した前記外面板（１１）、（１２）のそれぞれ内面に、ノートパソコンを密着保持させる長尺な弾性部材（３０）または弾性中空材（３２）を任意形状に配設してなることを特徴とするパソコンケース。
【請求項２】
前記弾性部材（３０）は、衝撃を吸収するため弾力性を有すると共に、パソコンを保持するため密着性を有した透明で長尺な紐状であって、前記外面板の内面の上下部にそれぞれ間隔を存して取付けた複数の係止鋲（２０，２０）に巻回しながら装着して両端部をそれぞれ端部に位置した係止鋲に止着してなり、該弾性部材の表面に必要に応じて任意の色または蛍光色に着色してなることを特徴とする請求項１記載のパソコンケース。
【請求項３】
前記弾性中空材（３２）は、弾力性および密着性を有した長尺で透明なチューブ状で、該弾性中空材の内部に任意の蛍光色に着色した糸芯材（３３）を挿通してなることを特徴とする請求項１記載のパソコンケース。
【請求項４】
前記弾性部材（３０）または弾性中空材（３２）は、前記外面板（１１、１２）の内面の上下部に互い違いに間隔をおいて取付けた複数の係止鋲（２０，２０）に巻回しながら装着して両端部をそれぞれ端部に位置した係止鋲に止着し、一方の外面板（１１）の内面に配設する弾性部材（３０）または弾性中空材（３２）は、下辺側から見て略Ｗ型に装着し、他方の外面板（１２）の内面に配設する弾性部材（３０）または弾性中空材（３２）は、下辺側から見て逆Ｗ型に装着し、パソコンケースの中間部で互いに交差するようにしてなることを特徴とする請求項１ないし３のいずれか１記載のパソコンケース。
【請求項５】
前記弾性部材（３０）または弾性中空材（３２）は、前記外面板（１１、１２）のそれぞれ内面に、井桁状、渦巻き状またはＸ状に配設してなることを特徴とする請求項１ないし３のいずれか１記載のパソコンケース。
【請求項６】
前記外面板（１１）、（１２）は、収容するノートパソコンより一回り大きく形成し、透明で耐衝撃性を有する板材で形成してなることを特徴とする請求項１ないし５のいずれか１記載のパソコンケース。
【考案の詳細な説明】
【技術分野】
【０００１】
本考案は、ノートパソコンを携行する際に収納する携帯用のパソコンケースに関するものである。
【背景技術】
【０００２】
昨今使用されているパーソナルコンピュータのうち、特にノート型パソコン（以下、パソコンという）は、小型軽量化が進み、持ち運びが便利である。このパソコンを持ち運ぶカバンは、運搬中に外部からの衝撃や押圧力などによってパソコンが壊れないように工夫された多種多様なものがある。そのカバンは、大きく分けてクッション機能を有したソフトケースにノートパソコンを収容し、そのソフトケースを大きな手提げカバン内に収容して持ち運ぶものと、丈夫な金属製のハードケースに収容して持ち運ぶものとがある。
【先行技術文献】
【特許文献】
【０００３】
【特許文献１】特開２００３−１０２５２９号公報
【特許文献２】特開２００３−２９５９７４号公報
【０００４】
前記ケースのうち、ソフトケースはノートパソコンを内部に収容して持ち運ぶ際に、偶発的な外部からの衝撃でノートパソコンが破損するのを防止するため、ウレタン素材などの衝撃吸収用のクッション性を有した袋体内にパソコンを収容し、さらにノートパソコンを収容した袋体をカバン内に収容して携行している。
【０００５】
ソフトケースは外部からの衝撃は吸収可能であるが、ラッシュ時の電車内などでカバンが押されると変形するおそれのある押圧力や衝撃に弱く、また、ソフトケースを収納するカバンの構造が複雑となりコスト高となって不便である。さらに、ハードタイプのケースは金属製であるため、頑丈で外部からの押圧力に対して抵抗力を有するが、ケース自体が重く持ち運びに不便である。
【０００６】
一方、昨今のノートパソコンは小型軽量化が進むとともに、ファッショナブルで色彩もカラフルになっているが、携帯用のケースはいずれも携帯時における外力に対する耐久性を高めて安全性が重視されているため、携帯時におけるファッション性という面の考慮が不足している。
【考案の概要】
【考案が解決しようとする課題】
【０００７】
本考案が解決しようとする課題は、携行するノートパソコンを収容するケースを軽量化し、外部からの押圧力や衝撃に強いと共に、カラフルなパソコンをケースの外部から見えるようにし、おしゃれでファッション性を有するバリエーションに富んだケースを提供することを目的とする。
【課題を解決するための手段】
【０００８】
上記課題を達成するため本考案は、強度を有した透明な一対の外面板１１、１２の下部中央を可撓性を有する連結帯片１５で連結し、上端中央にそれぞれ面ファスナ１６、１６を取付けて開閉可能に形成した前記外面板１１、１２のそれぞれ内面に、ノートパソコンを密着保持させる長尺な弾性部材３０または弾性中空材３２を任意形状に配設してなることを特徴とする。また、前記弾性部材３０は、衝撃を吸収するため弾力性を有すると共に、パソコンを保持するため密着性を有した透明で長尺な紐状であって、前記外面板の内面の上下部にそれぞれ間隔を存して取付けた複数の係止鋲２０，２０に巻回しながら装着して両端部をそれぞれ端部に位置した係止鋲に止着してなり、該弾性部材の表面に必要に応じて任意の色または蛍光色に着色してなることを特徴とする。さらに、前記弾性中空材３２は、弾力性および密着性を有した長尺で透明なチューブ状で、該弾性中空材の内部に任意の蛍光色に着色した糸芯材３３を挿通してなることを特徴とする。さらにまた、前記弾性部材３０または弾性中空材３２は、前記外面板１１、１２の内面の上下部に互い違いに間隔をおいて取付けた複数の係止鋲２０，２０に巻回しながら装着して両端部をそれぞれ端部に位置した係止鋲に止着し、一方の外面板１１の内面に配設する弾性部材３０または弾性中空材３２は、下辺側から見て略Ｗ型に装着し、他方の外面板１２の内面に配設する弾性部材３０または弾性中空材３２は、下辺側から見て逆Ｗ型に装着し、パソコンケースの中間部で互いに交差するようにしてなることを特徴とする。また、前記弾性部材３０または弾性中空材３２は、前記外面板１１、１２のそれぞれ内面に、井桁状、渦巻き状またはＸ状に配設してなることを特徴とする。さらにまた、前記外面板１１、１２は、収容するノートパソコンより一回り大きく形成し、透明で耐衝撃性を有する板材で形成してなることを特徴とするものである。
【考案の効果】
【０００９】
本考案のパソコンケース１０は、透明な合成樹脂などの板材で形成した一対の外面板１１、１２の内面に、それぞれ弾性部材３０または柔軟な弾性中空材３２を互いに任意形状に配設して装着したことにより、内部に収容されたノートパソコンは、弾性部材３０または弾性中空材３２を介在して両外面板１１，１２に直接接触せずに中空状態で保持される。したがって、パソコンは、部材３０または３２の弾力性と密着力によって携行中における携帯ケース１０からの脱落を防止し、また、外部からの押圧力に対しては、強度を有する外面板１１、１２で変形を防止し、さらに、外部からの衝撃は弾性部材３０または弾性中空材３２の弾力性で吸収し、パソコンが壊れるのを防止することができる。また、ケース１０が軽量であるため持ち運びが便利である。さらに、外面板１１、１２を透明にしたことにより、内部に収容したパソコンが外側から見え、且つ、弾性部材３０や弾性中空材３２に挿通した糸芯材３３を蛍光発色させることによりおしゃれでファッション性を高めることができる利点を有する。
【図面の簡単な説明】
【００１０】
【図１】本考案に係るパソコンケースの展開図である。
【図２】パソコンケースの正面図である。
【図３】図２のＡ―Ａ線断面図である。
【図４】係止鋲の拡大断面図である。
【図５】外面板に取付けた係止鋲の拡大側面図である。
【図６】外面板に取付けた留鋲の拡大側面図である。
【図７】弾性中空材の一部拡大平面図である。
【図８】図７のＢ―Ｂ線断面図である。
【図９】外面板の内面にパソコンを収容した状態の中央横断面図である。
【図１０】パソコンケースにパソコンを収容した状態の側面図である。
【考案を実施するための形態】
【００１１】
本考案の実施の形態を図面に基づいて説明すると、図１は本考案に係るパソコンケースの展開図、図２はパソコンケースの正面図、図３は図２のＡ―Ａ線断面図、図４は係止鋲の拡大断面図、図５は外面板に取付けた係止鋲の拡大側面図、図６は外面板に取付けた留鋲の拡大側面図である。本考案に係る携帯用のパソコンケース１０は、それぞれ強度を有した合成樹脂板などで形成した一対の透明な外面板１１、１２からなり、該外面板の内面の上下部に一定間隔毎に交互に取付けた複数の係止鋲２０に、パソコン保持用及び衝撃吸収用の弾性部材３０を連続して内面全体に任意形状に配設してある。
【００１２】
外面板１１、１２は、アクリル樹脂板などの強度を有した透明板からなり、市販されているノートパソコンより一回り大きく形成してある。即ち、ノートパソコンの大きさがＡ４〜Ｂ６サイズまで収容できるように、縦２７０〜２９０ｍｍ、横３５０〜３７０ｍｍ、好ましくは、縦２８０ｍｍ、横３６０ｍｍの大きさ、即ち、Ａ４サイズに基づいて形成してある。両外面板の下部中央に皮革または合成皮革などの可撓性を有した連結帯片１５で連結すると共に、前記外面板１１、１２と該連結帯片１５で開閉可能に所定箇所を複数の留鋲２９で固定して開閉且つ折返可能に連結してある。
【００１３】
両外面板１１、１２の上辺中央部に、面ファスナ１６、１６をそれぞれ取付けて該外面板の上部側を開閉可能に形成し、面ファスナ１６を構成する雄ファスナ１６ａを一方の外面板１１に取付け、対をなす雌ファスナ１６ｂを他方の外面板１２に取付けることにより、開閉が容易でしかも構造が簡単な小型軽量の携帯用のパソコンケース１０を形成してある。
【００１４】
係止鋲２０は、図４に示すごとく、雄ねじ２１と雌ねじ２５とからなり、雄ねじ２１のねじ部２２の上端に設けたやや大径の頭部２３の上部中央に溝部２４を設けてある。雌ねじ２５の筒状をした係止部２６の内面に一端から有底状のねじ孔２７を設け、該係止部の下端にやや大径の鍔部２８を形成してある。
【００１５】
前記係止鋲２０は、外面板１１、１２の内面であって、一方の外面板１１の上辺部に３個、下辺部に２個の係止鋲を互いに位置をずらせて一定間隔に取付けてあり、また、他方の外面板１２の上辺部に２個、下辺部に３個の係止鋲を互い違いに取付けてあるが、この数は一例であって、この数に限るものではない。
【００１６】
前記係止鋲２０は、雌ねじ２５の下部にやや大径の鍔部２８を設けたことにより、図５に示すごとく、係止鋲２０に巻回して装着する長尺の弾性部材３０が鍔部２８に係止されることにより、係止鋲２０からの脱落を防止している。
【００１７】
前記弾性部材３０は、弾力性と密着性を有したゴム材や合成樹脂材、好ましくは、シリコン樹脂材などからなる弾性紐で、透明または蛍光色など任意の色に着色して形成してある。パソコンケース１０は強度のある透明板で形成してあり、弾性部材３０を通常の色または蛍光色で着色することにより、パソコンケース１０の外側からカラフルなパソコンと共に、同じくカラフルにした弾性部材が線状に発色してファッショナブルな装飾に見せることができる。
【００１８】
弾性部材の第２に実施形態について図７に基づいて説明すると、弾力性および密着性を有したゴムまたは合成樹脂材をパイプ状に形成した透明な弾性中空材３２で、該弾性中空材は内部に空気層を有していることから前記弾性部材３０より、クッション性を向上させて外部からの衝撃を吸収緩和することができる。
【００１９】
図７、８に示すごとく、透明な弾性中空材３２の内部に、細い合成樹脂材や細紐などで形成して蛍光塗料を着色させた糸芯材３３を挿通して組み合わせてもよい。この弾性中空材３２内に蛍光発色する糸芯材３３を挿通することにより、パソコンケースが透明であるため外観から蛍光発色する糸芯材３３を線状に発色して見せることができ、特に夜間に携帯する場合にその効果がある。
【００２０】
前記糸芯材３３の色は、蛍光発色可能な色で有れば何色でもよく、糸芯材３３の色を多様にすることにより、バリエーションをもたせたパソコンケース１０を提供することができる。
【００２１】
パソコンケース１０の外面板１１の内面に弾性部材３０または弾性中空材３２を装着する場合、図１、２に示すごとく、部材３０，３２の一端を輪状に結んで外面板１１の一端（上方）に取付けた係止鋲２０ａに止着し、ついで下方に位置した係止鋲２０ｂの係止部２６の下側を巻回し、さらに上方中央に取付けた係止鋲２０ｃから下方の係止鋲２０ｄに巻回し、さらに、部材３０，３２の他端を輪状に結んで端部を上方に取付けた係止鋲２０ｅに止着し、全体を下辺側（連結帯片側）からみてＷ型に配設して設けてある。
【００２２】
さらに、他方の外面板１２の内面に弾性部材３０または弾性中空材３２を装着する場合、輪状に結んだ部材３０，３２の一端を下辺の一端に取付けた係止鋲２０ｆの係止部２６に止着し、次いで上辺に取付けた係止鋲２０ｇの係止部２６に巻回し、さらに下辺中央に取付けた係止鋲２０ｈから上辺の係止鋲２０ｉに巻回し、部材３０、３２の他端を輪状に結んで下辺端部に取付けた係止鋲２０ｊに止着し、全体を下辺側（連結帯片側）からみて逆Ｗ型に配設して設けてある。このパソコンケースの内側に配設する弾性部材又は弾性中空材の形状は、略Ｗ型に限らずに、井桁状やＸ状などの形状に形成しても良い。
【００２３】
パソコンケース１０の内面全体にそれぞれ弾性部材３０または弾性中空材３２を互い違いに位置をずらせて取付けた両外面板１１、１２を合わせると、図２に示すごとく、部材３０，３２をケースの中間部で交差するようにジグザグ状に装着することにより、それぞれサイズが相違するパソコンでも確実に密着して保持することができる。
【００２４】
以下、本考案の実施形態の作用について説明すると、パソコンをパソコンケース１０に収容する場合、外面板１１、１２の上部側に設けた面ファスナ１６，１６を開いて、該パソコンを左右いずれか、たとえば一方の外面板１１内の弾性部材３０又は弾性中空材３２上に載置させた後、他方の外面板１２をその上に被せて軽く圧着させてパソコンを挟持させ、両外面板１１、１２の上部の設けた面ファスナ１６を止着するだけで簡単に収納することできる。
【００２５】
パソコンケース１０内に収納するパソコンは、Ａ４〜Ｂ６サイズのいずれでも収納可能にするようにＡ４サイズを基準に形成してあるが、それに限らず、収容するパソコンの大きさに応じた形に形成しても良いことはもちろんである。その場合、当該パソコンの大きさより一回り大きく形成することが好ましく、外面板１１、１２の内側に収容して前記面ファスナ１６を止着するだけで簡単に携帯できる。ノートパソコンは、外面板１１、１２に直接触れることなく、弾性部材３０又は弾性中空材３２で圧着して密着させることにより、外力が加わってもパソコンは移動せず部材３０，３２に密着して保持されるので安全に携行できる。たとえ、誤ってパソコンケースを落下させても内面に部材３０，３２を具えた強度を有する外面板により保護することができる。
【００２６】
この弾性部材３０または弾性中空材３２は、弾力性および密着性を有することから、外面板に密着して圧着するだけでパソコンの外形に合わせて部材３０，３２が圧縮されて変形することによりパソコンの外面に密着して確実に保持することができる。したがって、パソコンケース１０を携行中にパソコンの重みや外部からの衝撃などが加わっても摩擦力で密着して保持されるため該ケース内を移動したり、脱落したりすることがない。
【００２７】
パソコンケース１０は、強度を有した透明な外面板１１，１２で形成してあるため、混雑した乗物内や人ごみの中で押されてもケース１０が変形しないため、ケース内に収容したパソコンが変形して故障や破損するのを防止できる。さらに、内部に収納したパソコンが外側から見え、おしゃれ感覚で使用することができる。このケース自体を淡い色に着色したり、内部が見えにくい色に着色したりすることは勿論可能である。
【００２８】
ノートパソコンは、ケース１０内の弾性部材３０または弾性中空材３２によって中空状態で保持することにより、外部から不意な衝撃が加わっても弾性部材３０または弾性中空材３２が吸収するため、ケース１０に収容したパソコンは、携行中に生じる衝撃によって内部のハードデスクが壊われるのを防止できて安全である。
【００２９】
さらに、弾性中空材３２を取付けたパソコンケース１０を使用する場合、弾性中空材はクッション性及び密着性が高いので保持力を一段と高めて安全性を向上させることができ、透明な弾性中空材３２内に任意色や蛍光色に着色した糸芯材３３を挿通することにより、該ケースの外側から線状の任意色が見えてバリエーションに富んだファッショナブルなパソコンケースを提供できる。
【００３０】
このパソコンケース１０内に収容したパソコンをテーブルなどのない屋外のベンチに座って使用する場合、ケースを開いてパソコンを取り出し、外面板１１，１２の内面にそれぞれ装着した弾性部材３０または弾性中空材３２が外側に位置するよう連結帯片１５を折り返して外面板の外面及び内面が逆になるように重ねた下側の外面板を椅子に座った膝の上に乗せれば、該外面板の外側に位置した部材３０または３２の密着性により、該外面板が膝の上で滑り落ちるのを防ぐことができ、また、上方に位置した外面板の表面に位置する部材３２または３０上に置いたパソコンの滑りを止めて固定するので、膝の上に載せたパソコンを安定した状態で使用できるという利点を有するものである。
【符号の説明】
【００３１】
１０    パソコンケース
１１    外面板
１２    外面板
１５    連結帯片
１６    面ファスナ
２０    係止鋲
２１    雄ねじ
２５    雌ねじ
２６    係止部
２７    鍔部
２９    留鋲
３０    弾性部材
３２    弾性中空材
３３    糸芯材
【図１】
0003153639.tif 000003
【図２】
0003153639.tif 000004
【図３】
0003153639.tif 000005
【図４】
0003153639.tif 000006
【図５】
0003153639.tif 000007
【図６】
0003153639.tif 000008
【図７】
0003153639.tif 000009
【図８】
0003153639.tif 000010
【図９】
0003153639.tif 000011
【図１０】
0003153639.tif 000012